(57)【要約】【課題】缶の開缶前における二次元コード等の表示情報の不正利用を防止し、表示情報の視認性を向上した開缶用タブ及び缶蓋並びに缶を提供する。【解決手段】開缶用タブは、外形形状を形成するタブ本体の中央付近に設けられて缶蓋本体のリベットに固着される固着部と、前記タブ本体の先端部に設けられて前記缶蓋本体の開口片を押し下げて開口させるための押下部と、前記押下部に対して前記タブ本体の前記固着部を挟んだ反対側に設けられて前記押下部を押し下げるために前記缶蓋本体から引き上げられる引上部と、前記引上部と前記固着部との間に設けられて下面側に向けて凸となるように上面側が凹状に形成されたタブパネル部と、を備え、前記タブ本体の最上面と最下面との間に前記タブパネル部の下面が配置され、前記タブパネル部の下面に表示情報が付与されている。【選択図】      図１
2019104531.tif 000002
【特許請求の範囲】
【請求項１】
外形形状を形成するタブ本体の中央付近に設けられて缶蓋本体のリベットに固着される固着部と、
前記タブ本体の先端部に設けられて前記缶蓋本体の開口片を押し下げて開口させるための押下部と、
前記押下部に対して前記タブ本体の前記固着部を挟んだ反対側に設けられて前記押下部を押し下げるために前記缶蓋本体から引き上げられる引上部と、
前記引上部と前記固着部との間に設けられて下面側に向けて凸となるように上面側が凹状に形成されたタブパネル部と、を備え、
前記タブ本体の最上面と最下面との間に前記タブパネル部の下面が配置され、
前記タブパネル部の下面に表示情報が付与されていることを特徴とする開缶用タブ。
【請求項２】
前記タブパネル部は、中央部分に配置されて平らに形成された底面部と、前記底面部の周縁に配置され該底面部から前記タブ本体の上面に向けて漸次拡径して形成された斜面部と、を有しており、
前記表示情報の印字方向における前記底面部と前記斜面部とのなす角度βが、前記印字方向に直交する方向における前記底面部と前記斜面部とのなす角度αよりも大きく設けられていることを特徴とする請求項１に記載の開缶用タブ。
【請求項３】
前記固着部のリベット孔の中心と前記押下部の先端とを通る中心線に直交する幅方向を前記印字方向とし、前記タブ本体の幅を幅Ｗ１とし、前記底面部の幅を幅Ｗ２としたときに、
前記幅Ｗ２が前記幅Ｗ１の５０％以上８０％以下で形成されていることを特徴とする請求項２に記載の開缶用タブ。
【請求項４】
前記タブパネル部は、前記中心線上の長さＬ３が、前記中心線に直交する幅Ｗ３よりも小さく設けられていることを特徴とする請求項３に記載の開缶用タブ。
【請求項５】
前記タブパネル部の下面が着色された塗装面に、インクジェット印刷又はレーザマーカ刻印により前記表示情報が付されていることを特徴とする請求項１から４のいずれか一項に記載の開缶用タブ。
【請求項６】
缶蓋本体と請求項１から５のいずれか一項に記載の前記開缶用タブとを備えることを特徴とする缶蓋。
【請求項７】
缶胴本体に請求項６に記載の前記缶蓋が巻き締められており、
前記缶胴本体の外観面にサイト情報が付与され、
前記開缶用タブに前記表示情報として認証コードが付与されていることを特徴とする缶。
【発明の詳細な説明】
【技術分野】
【０００１】
本発明は、缶蓋本体上に固着され、缶蓋本体に取り付けられたままの状態で缶蓋本体の一部を押し下げて飲み口を開口するステイオンタブ型の開缶用タブ及び缶蓋並びに缶に関する。
【背景技術】
【０００２】
飲料缶等の缶の缶蓋には、タブを缶蓋本体に取り付けたままの状態で飲み口を開口可能とし、開缶後もタブと缶蓋本体とを一部固着させておくことが可能なステイオンタブ型の開缶用タブが広く採用されている。また、缶のいわゆるセールスプロモーション（販売促進活動）を目的として、購入者に、缶の購入数等に応じた景品を贈呈するキャンペーン等が行われている。セールスプロモーションには、例えば、缶の缶胴部に取り外し可能な応募シールを取り付けておき、この応募シールを購入者が収集する方法等が採用されている。また、インターネットのＵＲＬ等の二次元コード等の情報が記載されたシールを缶胴部の側面に取り付けておき、シールに記載された二次元コード等を購入者の携帯端末で読み取ることで、二次元コード等にエンコードされた情報から飲料メーカ等の抽選に参加可能とする等、様々な方法でのセールスプロモーションが行われている。
【０００３】
例えば、特許文献１には、缶蓋本体（缶蓋）と開缶用タブ（プルタブ）との間に略平面状の部材である印字場を備え、この印字場に二次元コード等の絵柄や文字等の情報が印字された開缶用タブが開示されている。特に、特許文献１には、開缶用タブの裏面の印字場に二次元コードを表示することが記載されており、この開缶用タブを引き起こして缶を開缶させることで、すなわち缶蓋本体と開缶用タブとの間に隠蔽された印字場を露出させることで、印字場に印字された二次元コードにアクセス可能とし、購入者だけがアクセス可能とする不正使用防止機能を備えることが記載されている。また、特許文献１には、開缶用タブの裏面側の印字場とは別途の表面側に管理コード表示部を設けること、二次元コードをレーザマーカで印字すること、印字場を黒色等に塗装してレーザマーカで印字したときのコントラストを大きくすること、二次元コードをシールで隠蔽と開示が自在にできるようにすること、が記載されている。
【０００４】
特許文献２には、缶蓋の缶蓋本体や開缶用タブ（タブ）にインクジェット印刷による印字情報を付すことが開示されている。この特許文献２では、開缶用タブの位置を基準にして所定位置に印字情報を付すことで、缶蓋として統一的なデザインイメージを醸成でき、製品差別化を図ることが記載されている。また、特許文献２には、印字情報を開缶用タブの摘み部等の表側や缶蓋本体の上面に付して利用者の関心を引くこと、印字情報を開缶用タブの裏側あるいは缶蓋本体の上面の開缶用タブに隠される領域に付して、懸賞などに利用すること、が記載されている。
【０００５】
特許文献３には、レーザー成形されたドットで構成されたマトリックスバーコードを有する缶（缶コンポーネント）が開示されており、マトリックスバーコードを開缶用タブ（タブ）に形成する場合、開缶用タブの上側又は下側に形成することが記載されている。また、特許文献３には、構造的リブで取り囲まれた平らな、あるいはエンボス加工又はデボス加工されたパネル上にマトリックスバーコードを形成することが記載されている。
【先行技術文献】
【特許文献】
【０００６】
【特許文献１】特開２０１１‐２０７０１号公報
【特許文献２】特開２００５‐３２４８１６号公報
【特許文献３】特表２０１６‐５１９８０４号公報
【発明の概要】
【発明が解決しようとする課題】
【０００７】
ところで、飲料缶等の缶の製造工程では、１分間に２０００缶程の高速で缶が製造されることから、応募シールの取付工程も同様の頻度で行う必要がある。このため、複数の応募シールを備えるロール等の交換頻度も高くなり、個々の缶に確実に応募シールを貼り付けることや、ロールの補充等、管理が難しい。また、缶の外観に取り付けられた応募シールは、缶の購入者でなくても取り外すことが可能であったり、何らかのタイミングで剥がれたり等、応募シールが貼られていない缶が店頭に陳列されるおそれがある。
【０００８】
一方、特許文献１〜３の開缶用タブを用いた缶蓋では、応募シールの代わりに二次元コード等の情報を缶蓋の開缶用タブ又は缶蓋本体の一部に直接印刷、刻印しているので、応募シールの管理については問題とならない。
しかし、特許文献１の開缶用タブでは、タブ本体に二次元コード等の情報を直接印刷等するのではなく、タブ本体を構成する第１成形型部と別の印字場を構成する第２成形型部を一体に形成したり、印字場を構成する印字場小片を個別に形成したりすることで、印字場を有する開缶用タブを形成している。このように、特許文献１の開缶用タブでは、タブ本体の裏側に第２成形型部を折り返したり、印字場を取り付けたりしていることから、印字場が開缶用タブの裏面側に出っ張って配置される。このため、印字場の印字面が缶蓋本体と接触しやすく、その際に印字面が擦れることで、印字面の視認性を低下させるおそれがある。このように、特許文献１の開缶用タブでは、缶蓋本体に取り付けた後の管理が難しく、印字面を認識困難な缶が購入者まで届けられるおそれがある。
【０００９】
また、特許文献２又は特許文献３に記載されるように、開缶用タブの表側や缶蓋本体の上面にマトリックスバーコード等の印字情報を付した場合には、缶の開缶前においても容易に印字情報を視認できることから、缶の開缶前における印字情報の不正利用を防止できない。また、開缶用タブの裏側や缶蓋本体の上面の開缶用タブに隠される領域に印字情報を付した場合には、特許文献１の開缶用タブと同様に、印字情報を付した部分が開缶用タブや缶蓋本体と接触しやすく、視認性を低下させるおそれある。また、特許文献３の開缶用タブのように、構造的リブで取り囲まれた平らな、あるいはエンボス加工又はデボス加工されたパネル上に印字情報を付与する場合等には、印字情報を印刷可能なスペースは僅かな範囲に限られており、平らなパネル面からずれた位置に印字情報が印刷された場合には、印字情報の視認性をさらに低下させる。
【００１０】
本発明は、このような事情に鑑みてなされたもので、缶の開缶前における二次元コード等の表示情報の不正利用を防止し、表示情報の視認性を向上した開缶用タブ及び缶蓋並びに缶を提供することを目的とする。
【課題を解決するための手段】
【００１１】
本発明の開缶用タブは、外形形状を形成するタブ本体の中央付近に設けられて缶蓋本体のリベットに固着される固着部と、前記タブ本体の先端部に設けられて前記缶蓋本体の開口片を押し下げて開口させるための押下部と、前記押下部に対して前記タブ本体の前記固着部を挟んだ反対側に設けられて前記押下部を押し下げるために前記缶蓋本体から引き上げられる引上部と、前記引上部と前記固着部との間に設けられて下面側に向けて凸となるように上面側が凹状に形成されたタブパネル部と、を備え、前記タブ本体の最上面と最下面との間に前記タブパネル部の下面が配置され、前記タブパネル部の下面に表示情報が付与されている。
【００１２】
タブパネル部の下面に二次元コードや認証コード等の表示情報を付与することで、缶の開缶前においては表示情報を開缶用タブの裏側の隠れた位置に配置できる。したがって、缶の開缶前における表示情報の不正利用を防止できる。また、タブパネル部の下面は、タブ本体の最上面と最下面との間に配置され、最下面よりも上側に配置されているので、缶蓋本体とタブ本体の最下面とを接触させた際に、タブパネル部の下面が缶蓋本体の上面と接触することを防止できる。このため、タブパネル部の下面に付された表示情報が缶蓋本体の上面と擦れて傷ついたりすることを防止できる。したがって、表示情報の視認性が低下することを防止でき、缶の開缶後においても、開缶前と同様に、表示情報の良好な視認性を維持できる。
【００１３】
本発明の開缶用タブの好ましい実施形態において、前記タブパネル部は、中央部分に配置されて平らに形成された底面部と、前記底面部の周縁に配置され該底面部から前記タブ本体の上面に向けて漸次拡径して形成された斜面部と、を有しており、前記表示情報の印字方向における前記底面部と前記斜面部とのなす角度βが、前記印字方向に直交する方向における前記底面部と前記斜面部とのなす角度αよりも大きく設けられている。
【００１４】
表示情報を複数の数字や文字等を組み合わせて構成する場合、これらの数字等を並べた印字方向に配置される斜面部の角度βを、印字方向に直交する方向に配置される斜面部の角度αよりも大きくすることで、印字方向に配置される斜面部を、印字方向に直交する斜面部よりも緩やかに形成できる。このように、印字方向に配置される斜面部を緩やかに形成しているので、表示情報が印字方向において底面部の下面から僅かにずれて斜面部にかかる位置に表示される場合にも視認性を大きく低下させることなく、良好な視認性を維持できる。
また、開缶用タブの製造工程において素材板の平坦な表面に表示情報を予め印字しておき、その印字後にタブパネル部を加工する際には、レーザマーカ刻印で生じる削りカスやインクジェット印刷で印字した塗料が金型に付着してビルドアップすることにより、タブパネル部の傷や汚れの原因となるおそれがある。しかし、本発明の開缶用タブでは、印字方向に配置される斜面部を緩やかに形成しているので、加工が容易であり、表示情報が印字方向の斜面部にかかる位置に印字された場合でも、その部分における金型に与える負担を少なくできる。したがって、ビルドアップによりタブパネル部に傷や汚れが生じることを防止でき、表示情報の視認性が良好な開缶用タブを長期にわたり安定して製造できる。
【００１５】
本発明の開缶用タブの好ましい実施形態において、前記固着部のリベット孔の中心と前記押下部の先端とを通る中心線に直交する幅方向を前記印字方向とし、前記タブ本体の幅を幅Ｗ１とし、前記底面部の幅を幅Ｗ２としたときに、前記幅Ｗ２が前記幅Ｗ１の５０％以上８０％以下で形成されている。
【００１６】
平らな底面部の幅Ｗ２をタブ本体の幅Ｗ１の５０％以上８０％以下の大きさで形成することで、表示情報を付与した際に良好な視認性を確保できる平らな面を印字方向に広く設けることができる。なお、幅Ｗ２が幅Ｗ１の５０％未満では底面部の面積が狭くなり、表示情報を付与する平らなスペースを確保することが難しくなる。一方、底面部の幅Ｗ２が幅Ｗ１の８０％を超えると、底面部の平らな面が大きくなり、タブ本体の折り曲げ強度が低下することで、缶の開缶時に開缶用タブが折れ曲がるおそれがある。
【００１７】
本発明の開缶用タブの好ましい実施形態において、前記タブパネル部は、前記中心線上の長さＬ３が、前記中心線に直交する幅Ｗ３よりも小さく設けられている。
【００１８】
この場合、タブパネル部は印字方向の幅方向よりも長さ方向の方が小さく形成されているので、平らで視認性が良好な底面部を印字方向に比較的広く設けることができ、良好な視認性を維持できる。
【００１９】
本発明の開缶用タブの好ましい実施形態において、前記タブパネル部の下面が着色された塗装面に、インクジェット印刷又はレーザマーカ刻印により前記表示情報が付されているとよい。
【００２０】
タブ本体のアルミニウム等の素材面上に着色した塗装面を設けておくことで、インクジェット印刷又はレーザマーカ刻印して表示情報を付した際のコントラストを大きくできる。したがって、表示情報の視認性を向上できる。なお、表示情報の付与は、レーザマーカ刻印を用いることが好ましい。
【００２１】
本発明の缶蓋は、缶蓋本体と前記開缶用タブとを備える。
【００２２】
本発明の缶は、缶胴本体に前記缶蓋が巻き締められており、前記缶胴本体の外観面にサイト情報が付与され、前記開缶用タブに前記表示情報として認証コードが付与されている。
【００２３】
缶胴本体の外観面には、比較的情報量の多いメーカ等のＷｅｂ情報にアクセス可能なインターネットのＵＲＬを示す二次元コード等のサイト情報のみを表示しておくことで、開缶用タブに付与する表示情報の情報量を認証コードのみにする等、情報量を少なくできる。したがって、開缶用タブの限られたスペースに、容易に認識可能な大きさで表示情報を付与でき、表示情報の視認性を向上できる。
【発明の効果】
【００２４】
本発明によれば、缶の開缶前における二次元コード等の表示情報の不正利用を防止し、表示情報の視認性を向上できる。
【図面の簡単な説明】
【００２５】
【図１】本発明の実施形態の開缶用タブの平面図である。
【図２】図１に示す開缶用タブの背面図である。
【図３】図１に示すＡ‐Ａ線に沿う矢視断面における開缶用タブの断面図である。
【図４】図１に示すＢ‐Ｂ線に沿う矢視断面における開缶用タブの断面図である。
【図５】図１に示す開缶用タブを取り付けた本発明の実施形態に係る缶蓋の平面図である。
【図６】図５に示すＣ‐Ｃ線に沿う矢視断面における缶蓋の要部断面図である。
【図７】本実施形態の缶蓋を缶胴本体の開口端部に巻き締めた缶の側面図であり、一部を缶軸を通る断面で破断して示すものである。
【発明を実施するための形態】
【００２６】
以下、本発明に係る開缶用タブ及び缶蓋並びに缶の実施形態を、図面を参照しながら説明する。
本実施形態の缶蓋１０１は、例えば飲料缶等の缶に用いられる、いわゆるステイオンタブ方式の缶蓋であり、図５及び図６に示すように、缶蓋本体２０と、この缶蓋本体に取り付けられた開缶用タブ１０とにより構成される。また、このように構成される缶蓋１０１は、図７に示すように、内容物を充填した缶胴本体３０の開口端部に巻き締められることにより、缶胴本体３０の内部を密閉した缶２０１が製造される。なお、これらの缶胴本体３０、缶蓋本体２０及び開缶用タブ１０は、それぞれアルミニウム合金により形成される。
【００２７】
缶胴本体３０は、有底円筒状に形成されており、図７に示すように、その缶胴部３１の外観面に、メーカ等のＷｅｂ情報にアクセス可能なＵＲＬを示す二次元コード等のサイト情報１２２が付与されている。なお、サイト情報１２２は、予めサイト情報１２２が印刷等により設けられた合成樹脂製のフィルムを缶胴部３１に装着することにより缶胴本体３０に付与することもできるし、缶胴本体３０の缶胴部３１に直接印刷を施すことにより付与することもできる。
【００２８】
缶蓋本体２０は、図５及び図６に示すように、略円板状のパネル部２１と、このパネル部２１の外周部に沿って下方に凸となるように設けられた環状のカウンターシンク部２２と、を備えている。そして、パネル部２１の一部には、凹状に形成されたパネルデボス２３が設けられており、このパネルデボス２３の底面に、開口片２７を画成するスコア２４と、開口片２７とはリベット２５を介して反対側に配置された指掛け凹部２６とが設けられている。
【００２９】
缶蓋本体２０のスコア２４は開缶用タブ１０による押圧によって破断され、開口片２７が缶内部に押し込まれることで飲み口を開口する。なお、開口片２７上には、スコア２４に沿うようにして上方に突出したインナービード２８が形成されており、開口片２７が補強されている。リベット２５は、パネル部２１の上面をリング状に圧印するコイニング加工を施して、パネル部２１の中心部を上方に張り出させることにより形成されている。
【００３０】
また、指掛け凹部２６は、開缶用タブ１０の後端部に沿うようにして、その下方近傍に、パネルデボス２３の底面の一部をさらに凹状にして形成されている。これにより、缶２０１の購入者（開封者）は、指掛け凹部２６から指を開缶用タブ１０の後端部（引上部１７）の下側に入れることで、後端部に指をかけやすく、後端部を容易に引き上げることができる。
また、これらリベット２５と指掛け凹部２６との間には、ディンプルと称される凸部２９が形成されている。凸部２９は、パネルデボス２３の上面に突出し、開缶用タブ１０の幅方向に間隔をおいて２つ形成されている。この凸部２９に、開缶用タブ１０の外側縁部が引っ掛かることで、開缶用タブ１０がリベット２５周りへ回転移動することを防止できる。
【００３１】
開缶用タブ１０は、図１〜図４に示すように、外形形状を形成するタブ本体１１の周縁部１９が下面側に折り曲げられてカール成形が施されており、全体の剛性が高められている。そして、このタブ本体１１の中央付近には、缶蓋本体２０のリベット２５と固着されるリベット孔１５を有する固着部１２が設けられている。また、固着部１２は、Ｕ字状のスロット１３により区画形成されている。そして、開缶用タブ１０は、この固着部１２に形成されたリベット孔１５に缶蓋本体２０のリベット２５を挿入し、固着部１２の下面をパネルデボス２３の底面に当接させた状態でリベット２５をかしめることにより、缶蓋本体２０に取り付けられる。
【００３２】
また、開缶用タブ１０は、タブ本体１１の先端部に設けられて缶蓋本体２０の開口片２７を押し下げて開口させるための押下部１６と、この押下部１６に対してタブ本体１１の固着部１２を挟んだ反対側に配置される後端部に設けられて押下部１６を押し下げるために缶蓋本体２０から引き上げられる引上部１７と、タブ本体１１の引上部１７と固着部１２との間に設けられて下面側に向けて凸となるように上面側が凹状に形成されたタブパネル部１４とを備えている。
【００３３】
押下部１６及び引上部１７を含むタブ本体１１の周縁部１９は、下面側に折り返された形状により形成されている。このうち引上部１７は、タブ本体１１の後端部において、周縁部１９の下面側の一部（幅方向の中央部）を、上方に向けて凸となるように凹状に形成されており、図３に示すように、引上部１７の下面は、開缶用タブ１０の最下面１１２（周縁部１９の最下面）よりも上側に設けられ、その周囲の周縁部１９よりも厚みが薄く設けられている。
【００３４】
タブパネル部１４は、本実施形態では、図３及び図４の断面に示すように、中央部分に配置されて平らに形成された底面部４１と、底面部４１の周縁に配置されて底面部４１からタブ本体１１の上面に向けて漸次拡径して形成された斜面部４２とを有しており、底面部４１とその周囲のタブ本体１１との間が斜面部４２を介して滑らかに接続されている。タブパネル部１４の下面４１１は、タブ本体１１の最上面１１１と最下面１１２との間に配置されており、最下面１１２よりも上側に配置されている。そして、図２に示すように、タブパネル部１４の下面４１１に、二次元コードや認証コード等の表示情報１２１が付与されている。
【００３５】
図３及び図４に示す例では、開缶用タブ１０の最上面１１１は、タブ本体１１のカール成形された周縁部１９の上面とされる。また、開缶用タブ１０の最下面１１２は、缶蓋本体２０のパネルデボス２３の底面に当接して配置される固着部１２の下面、又は引上部１７を除いた周縁部１９の下面とされ、タブパネル部１４の下面４１１は、これらの固着部１２の下面又は周縁部１９の下面よりも上側に設けられている。
【００３６】
この場合、タブパネル部１４の下面４１１は、アルミニウム合金の素材面上に着色された塗装面を有しており、その塗装面に、印刷又は刻印により、好ましくはインクジェット印刷又はレーザマーカ刻印により、表示情報１２１が付されている。インクジェット印刷又はレーザマーカ刻印を採用することで短時間で表示情報１２１を付与できる。なお、レーザマーカ刻印を用いることがより好ましい。レーザマーカ刻印を用いることで、インクジェット印刷よりも高速に表示情報１２１を付与できる。また、レーザマーカ刻印を用いることで、インクジェット印刷のように、ヘッドのインク詰まり等による印字不良が発生しにくい。
【００３７】
また、タブ本体１１の素材面上に着色した塗装面を設けておくことで、表示情報１２１を付した際のコントラストを大きくでき、表示情報１２１の視認性を向上できる。タブパネル部１４の下面４１１の塗装面は、表示情報１２１とのコントラストを大きくする観点では、素材面よりも濃い色、例えば黒色等で着色することが好ましい。タブパネル部１４の下面４１１の塗装面には、レーザを照射することで発色する塗装を施してもよい。この場合、レーザを照射して素材面や塗装面を削り取る場合に生じる削りカスが発生することがなく、印字に伴うレーザの出力も低く抑えることができるので、製造装置を長期的に安定して使用できる。
なお、開缶用タブ１０への着色（塗装）は、タブパネル部１４の下面４１１に限定されるものではなく、素材板の両面に着色を施した板材を用いて、タブ本体１１の上面と下面との双方に塗装面を有する開缶用タブ１０としてもよい。
【００３８】
なお、表示情報１２１としては、一方向に情報を有する一次元コード、直交する二方向に情報を有する二次元コードや、文字、図形、記号等を組み合わせた認証コードの他、種々の情報が付与できる。本実施形態では、表示情報１２１として複数の数字を組み合わせた認証コードが付与されており、表示情報１２１は、缶２０１の購入者が缶胴本体３０に付与されたサイト情報１２２にアクセスする際の鍵となる。この場合、表示情報１２１の認証コードは、図２に示すように、開缶用タブ１０の裏面側において、開缶用タブ１０を引き上げた際に上側に配置される引上部１７側を上に配置した場合に、左側から右側にかけて幅方向に数字を５つ並べた５桁の数字の組み合わせからなるコードを上下に二段配置した合計１０桁の数字の組み合わせで構成されている。具体的には、図２では、表示情報１２１の認証コードは、上段に印字された「１２３４５」と下段に印字された「６７８９０」との組み合わせにより構成されており、表示情報１２１の印字方向は開缶用タブ１０の幅方向に設定されている。
【００３９】
また、本実施形態では、タブパネル部１４が、図１に示すように、平面視がほぼ矩形状で、その四隅部が緩やかな円弧によって面取りされたような形状とされている。また、タブパネル部１４は、タブ本体１１のリベット孔１５の中心と押下部１６の先端とを通る中心線ＣＬに対して、矩形の短辺を平行に配置し、矩形の長辺を直交させた状態に配置されており、中心線ＣＬ上の長さＬ３が、中心線ＣＬに直交する幅Ｗ３よりも小さく設けられ、タブパネル部１４は表示情報１２１の印字方向である幅方向よりも長さ方向の方が小さく形成されている。
【００４０】
また、タブパネル部１４は、図１に示すように、中心線ＣＬに直交する幅方向（印字方向）において、タブ本体１１の幅を幅Ｗ１とし、タブパネル部１４の底面部４１の幅を幅Ｗ２としたときに、底面部４１の幅Ｗ２をタブ本体１１の幅Ｗ１の５０％以上８０％以下の大きさで形成することが望ましい。この場合、タブパネル部１４の下面４１１に表示情報１２１を付与した際に、良好な視認性を確保できる平らな面（底面部４１）を印字方向に広く設けることができる。また、底面部４１の幅Ｗ２を底面部４１の長さＬ２よりも大きくすることで、印字方向の斜面部４２の角度βを印字方向に直交する長さ方向に配置される斜面部４２の角度αよりも大きくした場合に、開缶用タブ１０の折り曲げ強度を４０Ｎ以上に高く維持できる。
【００４１】
なお、幅Ｗ２が幅Ｗ１の５０％未満では底面部４１の印字方向の面積（長さ）が狭くなり、表示情報１２１を付与する平らなスペースを確保することが難しくなる。一方、底面部４１の幅Ｗ２が幅Ｗ１の８０％を超えると、底面部４１の平らな面が大きくなり、タブ本体１１の折り曲げ強度が低下することで、缶２０１の開缶時に開缶用タブ１０が折れ曲がるおそれがある。
【００４２】
なお、折り曲げ強度は、開缶用タブ１０を缶蓋本体２０に装着した缶蓋１０１において、開缶用タブ１０をリベット２５周りに左右に９０°以上回転させた位置で引上部１７を引き上げた際に、開缶用タブ１０が折れ曲がり破断したときの引き上げ荷重（Ｎ）とされる。
【００４３】
また、タブパネル部１４の斜面部４２は、図３又は図４に示すように、表示情報１２１の印字方向、すなわち幅方向における底面部４１と斜面部４２とのなす角度βが、幅方向に直交する中心線ＣＬ上の長さ方向における底面部４１と斜面部４２とのなす角度αよりも、大きく設けられている。つまり、タブ本体１１の幅方向の両側に配置される斜面部４２の方が、長さ方向の両側に配置される斜面部４２よりも緩やかな斜面で形成されている。このため、表示情報１２１が印字方向（幅方向）において底面部４１の下面から僅かにずれて斜面部４２にかかる位置に表示される場合にも視認性を大きく低下させることなく、良好な視認性を維持できる。なお、視認性を向上させる観点では、角度βを１３５°以上１５５°以下にすることがより望ましい。
また、前述したように、タブパネル部１４は印字方向の幅Ｗ３よりも長さＬ３の方が小さく設けられているので平らで視認性が良好な底面部４１を印字方向に比較的広く設けることができ、良好な視認性を維持できる。
【００４４】
このように構成される開缶用タブ１０の諸寸法について、板厚が０．２５０ｍｍ以上０．３５０ｍｍ以下のアルミニウム合金板を加工して形成される開缶用タブを一例として挙げると、タブ本体１１の幅Ｗ１が１５ｍｍ以上１６ｍｍ以下とされる。タブパネル部１４は、長さＬ３が８．５ｍｍ以上９．０ｍｍ以下、幅Ｗ３が１１ｍｍ以上１２ｍｍ以下とされる。また、底面部４１の幅Ｗ２が８．５ｍｍ以上９．５ｍｍ以下とされ、斜面部４２の角度αが１２０°以上１４０°以下、角度βが１３５°以上１５５°以下とされる。ただし、これらの寸法は、上記数値範囲に限られるものではない。
【００４５】
図示は省略するが、このように構成される開缶用タブ１０は、アルミニウム合金等の金属からなる帯状の素材板を順送り（間欠送り）しながら、孔あけ加工、プレス加工等の工程を順次実施した後、素材板のキャリア部からタブ本体１１を切り離すことにより製造される。具体的には、素材板にリベット孔１５等の開缶用タブ１０に形成される孔形状を形成した後、連結片１８（図２参照）を除いたブランクを打ち抜き、その連結片１８でキャリア部に連結された状態のブランクにタブパネル部１４等の成形を施し、かつ、タブ本体１１の周縁部１９をカール成形する。そして、その後にタブ本体１１の後端部の周縁部１９を押しつぶして、引上部１７を形成する。最後に、連結片１８をタブ本体１１から切断することにより、開缶用タブ１０が成形される。
【００４６】
また、タブパネル部１４の下面への表示情報１２１の付与は、リベット孔１５等の加工前の素材板の状態で行うことも可能であるし、タブパネル部１４や周縁部１９等の成形後に行うことも可能であり、順送りされる各工程のうちの一工程として行われ、各工程の滞留時間内で行われる。表示情報１２１の付与は、より好ましくはリベット孔１５等の加工前の素材板の状態で、タブパネル部１４等の成形前に付与することが望ましい。
【００４７】
このように、タブパネル部１４等の成形前に表示情報１２１を付与しておくことで、素材板の平坦な表面に表示情報１２１を容易に印字でき、印字不良を防止できる。なお、表示情報１２１の印字後にタブパネル部１４を加工する際には、レーザマーカ刻印で生じる削りカスやインクジェット印刷で印字した塗料が金型に付着してビルドアップすることにより、タブパネル部１４の傷や汚れの原因となるおそれがある。しかし、本実施形態の開缶用タブ１０では、印字方向に配置される斜面部４２の角度βを緩やかに形成しているので、加工が容易であり、表示情報１２１が印字方向の斜面部４２にかかる位置に印字された場合でも、その部分における金型に与える負担を少なくできる。したがって、ビルドアップによりタブパネル部１４に傷や汚れが生じることを防止でき、表示情報１２１の視認性が良好な開缶用タブ１０を長期にわたり安定して製造できる。
【００４８】
このようにして製造された開缶用タブ１０は、リベット孔１５に缶蓋本体２０上のリベット２５を挿通して載置され、リベット２５が潰されることにより缶蓋本体２０に固着され、缶蓋本体２０と開缶用タブ１０とを備える缶蓋１０１が製造される。また、この缶蓋１０１が、飲料等の内容物を充填した缶胴本体３０の開口端部に巻き締められることにより、缶胴本体３０の内部を密閉した缶２０１が製造される。
【００４９】
以上説明したように、開缶用タブ１０のタブパネル部１４の下面４１１に二次元コードや認証コード等の表示情報１２１が付与されているので、缶２０１の開缶前においては、表示情報１２１を開缶用タブ１０の裏側の隠れた位置に配置できる。したがって、缶２０１の開缶前における表示情報１２１の不正利用を防止できる。また、タブパネル部１４の下面４１１は、タブ本体１１の最上面１１１と最下面１１２との間に配置され、最下面１１２よりも上側に配置されているので、缶蓋本体２０のパネル部２１（パネルデボス２３）の上面とタブ本体１１の最下面１１２とを接触させた際に、タブパネル部１４の下面４１１が缶蓋本体２０の上面と接触することを防止できる。このため、タブパネル部１４の下面４１１に付された表示情報１２１が缶蓋本体２０の上面と擦れて傷ついたりすることを防止できる。したがって、表示情報１２１の視認性が低下することを防止でき、缶２０１の開缶後においても、開缶前と同様に、すなわち、缶蓋本体２０への開缶用タブ１０の装着前と同様に、表示情報１２１の良好な視認性を維持できる。
【００５０】
なお、本実施形態の開缶用タブ１０のように下面側に付された表示情報１２１は、缶蓋本体２０への開缶用タブ１０の装着後は、開缶用タブ１０の裏側の隠れた位置に配置されることから、その視認性を検査して管理することが難しい。しかし、本実施形態の開缶用タブ１０は、缶蓋本体２０への装着後においても装着前と同様の表示情報１２１の視認性を維持できることから、表示情報１２１の認識困難な缶２０１が購入者まで届けられることを防止できる。
【００５１】
また、図７に示すように、缶胴本体３０の外観面に、比較的情報量の多いメーカ等のＷｅｂ情報にアクセス可能なインターネットのＵＲＬを示す二次元コード等のサイト情報１２２を表示しておくことで、開缶用タブ１０に付与する表示情報１２１の情報量を認証コードのみにする等、情報量を少なくできる。したがって、開缶用タブ１０の限られたスペースに、容易に認識可能な大きさで表示情報１２１を付与でき、表示情報１２１の視認性を向上できる。
【００５２】
なお、本発明は前記実施形態の構成のものに限定されるものではなく、細部構成においては、本発明の趣旨を逸脱しない範囲において種々の変更を加えることが可能である。
【符号の説明】
【００５３】
１０  開缶用タブ
１１  タブ本体
１２  固着部
１３  スロット
１４  タブパネル部
１５  リベット孔
１６  押下部
１７  引上部
１８  連結片
１９  周縁部
２０  缶蓋本体
２１  パネル部
２２  カウンターシンク部
２３  パネルデボス
２４  スコア
２５  リベット
２６  指掛け凹部
２７  開口片
２８  インナービード
２９  凸部
３０  缶胴本体
３１  缶胴部
４１  底面部
４２  斜面部
１０１  缶蓋
１１１  最上面
１１２  最下面
１２１  表示情報
１２２  サイト情報
２０１  缶
４１１  下面
【図１】
2019104531.tif 000003
【図２】
2019104531.tif 000004
【図３】
2019104531.tif 000005
【図４】
2019104531.tif 000006
【図５】
2019104531.tif 000007
【図６】
2019104531.tif 000008
【図７】
2019104531.tif 000009